(57)【要約】【課題】選択されたアルファベット２文字のデザインをベースにすることでユーザが考える思いや拘りを表現可能とした装飾性の高いネックレストップを得る。【解決手段】ネックレストップ１は、任意のアルファベット２文字を選択して使用し、各文字について、正面視２文字と裏面視２文字とを全体が線対称に重なるように組み合わせた形状で構成される金属体１０に対して、その上面全体に複数の宝石４０を配置して構成される。【選択図】図１
0003230989.tif 000002
【実用新案登録請求の範囲】
【請求項１】
任意のアルファベット２文字を選択して使用し、各文字について、正面視２文字と裏面視２文字とを全体が線対称に重なるように組み合わせた形状で構成される金属体に対して、その上面全体の文字部分に複数の宝石を一列に配置することを特徴とするネックレストップ。
【請求項２】
前記任意のアルファベット２文字は異なる文字である請求項１に記載のネックレストップ。
【請求項３】
前記任意のアルファベット２文字は同一文字である請求項１に記載のネックレストップ。
【請求項４】
前記選択した任意のアルファベット文字に端部が存在する場合、前記端部を湾曲させて前記金属体側に連結するデザインとした請求項１ないし請求項３のいずれかに記載のネックレストップ。
【請求項５】
前記金属体における前記アルファベット文字が交差する位置に１個の宝石を配置する請求項１ないし請求項４のいずれかに記載のネックレストップ。
【考案の詳細な説明】
【技術分野】
【０００１】
本考案は、ネックレスの装飾体として利用されるネックレストップに関する。
【背景技術】
【０００２】
首周りに掛けるネックレスは、チェーン下端側において装飾体としてのネックレストップが装着されている。ネックレストップには、枠体にダイヤモンド、エメラルド、ルビー等の適宜種類の宝石を固定した枠体や、金銀プラチナ等の貴金属地金で形成し十字架やコイン等の様々な形状にデザインされた金属体等が使用される。
【０００３】
また、ネックレストップとしては、例えば特許文献１，２に示すように、種々の構造の形態が提案されている。
【先行技術文献】
【特許文献】
【０００４】
【特許文献１】特開２００８−１１３９７０号
【特許文献２】実用新案登録第３１３７０００号
【考案の概要】
【考案が解決しようとする課題】
【０００５】
上述したように、ネックレストップは装飾品であるので、デザイン性が高く他人からの注目度の高いものが好まれる傾向にある。
また、ユーザ自身が身に着ける身飾品なので、自身が考える思いや拘りをネックレストップのデザインを介して表現したいとする需要があった。
【０００６】
例えば、ユーザ自身がネックレストップを選択的にデザインできれば、自分自身の思いや拘りをネックレストップのデザインに表現することができる。
【０００７】
本考案は上記実情に鑑みて提案されたもので、選択されたアルファベット２文字のデザインをベースにすることでユーザが考える思いや拘りを表現可能とした装飾性の高いネックレストップを提供することを目的としている。
【課題を解決するための手段】
【０００８】
上記目的を達成するため本考案の請求項１に係るネックレストップ（１）は、任意のアルファベット２文字を選択して使用し、各文字について、正面視２文字と裏面視２文字とを全体が線対称に重なるように組み合わせた形状で構成される金属体（１０）に対して、その上面全体に複数の宝石（４０）を配置することを特徴としている。
【０００９】
請求項２は、請求項１のネックレストップにおいて、前記任意のアルファベット２文字は異なる文字であることを特徴としている。
【００１０】
請求項３は、請求項１のネックレストップにおいて、前記任意のアルファベット２文字は同一文字であることを特徴としている。
【００１１】
請求項４は、請求項１ないし請求項３のいずれかに記載のネックレストップにおいて、前記選択した任意のアルファベット文字に端部が存在する場合、前記端部を湾曲させて前記金属体側に連結するデザインとしたことを特徴としている。
【００１２】
請求項５は、請求項１ないし請求項４のいずれかに記載のネックレストップにおいて、前記金属体（１０）における前記アルファベット文字が交差する位置に１個の宝石（４０）を配置することを特徴としている。
【考案の効果】
【００１３】
本考案のネックレストップによれば、アルファベット２文字を選択する場合、ユーザの氏名のイニシャルの結合や、親しい人同士のイニシャルの結合を選択することにより、ユーザ自身が考える思いや拘りをネックレストップのデザインに表現可能とすることができる。
【図面の簡単な説明】
【００１４】
【図１】本考案の一実施形態に係るネックレストップ（アルファベット文字のＫとＳとの結合）を示した平面説明図である。
【図２】図１のネックレストップのデザインの基礎となるアルファベット２文字のデザイン図である。
【図３】図２のアルファベット２文字の正面視２文字と裏面視２文字とを組み合わせた基礎模様のデザイン図である。である。
【図４】宝石が装着された金属体部分を示すもので、（ａ）は一部分の平面説明図、（ｂ）は（ａ）のＡ−Ａ線断面説明図である。
【図５】本考案の一実施形態に係るネックレストップ（アルファベット文字のＳとＹとの結合）を示した平面説明図である。
【図６】図５のネックレストップのデザインの基礎となるアルファベット２文字のデザイン図である。
【図７】図６のアルファベット２文字の正面視２文字と裏面視２文字とを組み合わせた基礎模様のデザイン図である。
【図８】本考案の一実施形態に係るネックレストップ（アルファベット文字のＡとＫとの結合）を示した平面説明図である。
【図９】図８のネックレストップのデザインの基礎となるアルファベット２文字のデザイン図である。
【図１０】図９のアルファベット２文字の正面視２文字と裏面視２文字とを組み合わせた基礎模様のデザイン図である。
【図１１】本考案の一実施形態に係るネックレストップ（アルファベット文字のＩとＴとの結合）を示した平面説明図である。
【図１２】図１１のネックレストップのデザインの基礎となるアルファベット２文字のデザイン図である。
【図１３】図１２のアルファベット２文字の正面視２文字と裏面視２文字とを組み合わせた基礎模様のデザイン図である。
【図１４】本考案の一実施形態に係るネックレストップ（アルファベット文字のＴとＴとの結合）を示した平面説明図である。
【図１５】図１４のネックレストップのデザインの基礎となるアルファベット２文字のデザイン図である。
【図１６】図１５のアルファベット２文字の正面視２文字と裏面視２文字とを組み合わせた基礎模様のデザイン図である。
【考案を実施するための形態】
【００１５】
以下、図面を参照して本考案の実施の形態について詳細に説明する。
図１は、本考案の一実施形態に係るネックレストップの平面説明図である。
ネックレストップ１は、任意のアルファベット文字を基礎にデザインされた金属体１０と、吊り下げ部２０とから構成されている。金属体１０の上端には環状部３０が形成され、この環状部３０に吊り下げ部２０が連結されている。ネックレストップ１は、吊り下げ部２０にチェーンを装着することでネックレスとして使用可能となる。
【００１６】
次に、金属体１０の構造について説明する。
金属体１０のデザインは、以下に示す過程により決定される。
先ず、ユーザがアルファベット２６文字から任意の２文字を選択する。ユーザは、２文字について、自分自身のイニシャル等、好みの文字を選択する。例えば選択された文字が「Ｋ」と「Ｓ」である場合（図２）、各文字についての  正面視文字１０１，１０２及び裏面視文字２０１，２０２の４文字を全体が線対称に重なるように組み合わせた基礎模様（図３）を作成し、プレス加工により前記基礎模様を立体化した平面状の金属体１０を成型する。金属体１０は、例えば、金、銀、プラチナ等の貴金属地金により構成されている。
【００１７】
成型した金属体１０は、文字部分に相当するライン部１１と、ライン部以外の箇所となる複数の孔部１２（本例の場合は２１個）から構成される。孔部１２は、組み合わせる２文字により異なるものとなるが、９個〜３１個程度とする。
【００１８】
そして、ライン部１１の上面全体には、複数の宝石４０が一列に配置されている。宝石４０は、例えばダイヤモンド等の天然石または人工の装飾体が使用される。各宝石４０は、従前より存在する一般的な方法（彫留め、地金留め等）で固定されている。例えば、彫留めの場合、図４（ａ）（ｂ）に示すように、ライン部１１の上面に凹部１３を刻設し、凹部１３に宝石４０を設置し、宝石４０の周囲４か所に爪１４となる地金を金属体１０に形成することで固定する。
【００１９】
金属体１０のライン部１１の基本模様における文字同士の交差箇所（アルファベット文字が交差する位置）については、１個の宝石４０が配置されている。
金属体１０の上端には、縦方向に細長く上面側に水平面を有する長円状の吊り下げ部２０が装着されている。吊り下げ部２０の表面側にも複数個（本例の場合は１２個）の宝石４０が装着されている。
【００２０】
また、ライン部１１の基本模様におけるアルファベット文字「Ｋ」の端部４か所と、アルファベット文字「Ｓ」の端部２か所は、湾曲させて他の文字のライン部（金属体側）１１に連結するデザインを採用する。
このデザインを採用すること、及び、選択された２文字を全体が線対称になるように組み合わせた形状とすることで、選択する２文字が異なる場合においても、金属体１０の全体のデザインを似通ったものにすることができる。
【００２１】
例えば、アルファベット文字から「Ｓ」「Ｙ」（図６）を選択した場合、図７のような基礎模様となり、図５に示すネックレストップ１が得られる。
アルファベット文字から「Ａ」「Ｋ」（図９）を選択した場合、図１０のような基礎模様となり、図８に示すネックレストップ１が得られる。
アルファベット文字から「Ｉ」「Ｔ」（図１２）を選択した場合、図１３のような基礎模様となり、図１１に示すネックレストップ１が得られる。
【００２２】
上述した各例においては、アルファベット２６文字から選択する２文字を異なる文字で構成したが、アルファベット２文字は同一文字であっても良い。
【００２３】
例えば、アルファベット文字から同じ文字の「Ｔ」「Ｔ」（図１５）を選択した場合、図１６のような基礎模様となり、図１４に示すネックレストップ１が得られる。
【００２４】
図５，８，１１，１４に示されるネックレストップ１は、図１のものを含めて細部の形状が異なるものの全体デザインの雰囲気が共通のものとなっている。ユーザは、一見全体が同じようなデザインであっても、そのデザインに自身が拘って選択したアルファベット文字を表現することが可能となる。
【００２５】
本考案のネックレストップによれば、アルファベット２文字を選択する場合、自身の氏名のイニシャルの結合や、親しい人同士のイニシャルの結合を選択することにより、自身が考える思いや拘りをネックレストップのデザインに表現可能とすることができる。
【符号の説明】
【００２６】
１…ネックレストップ
１０…金属体
１１…ライン部（文字部分）
１２…孔部
１３…凹部
１４…爪
２０…吊り下げ部
３０…環状部
４０…宝石
１０１，１０２…正面視文字
２０１，２０２…裏面視文字
【図１】
0003230989.tif 000003
【図２】
0003230989.tif 000004
【図３】
0003230989.tif 000005
【図４】
0003230989.tif 000006
【図５】
0003230989.tif 000007
【図６】
0003230989.tif 000008
【図７】
0003230989.tif 000009
【図８】
0003230989.tif 000010
【図９】
0003230989.tif 000011
【図１０】
0003230989.tif 000012
【図１１】
0003230989.tif 000013
【図１２】
0003230989.tif 000014
【図１３】
0003230989.tif 000015
【図１４】
0003230989.tif 000016
【図１５】
0003230989.tif 000017
【図１６】
0003230989.tif 000018